(57)【特許請求の範囲】
【請求項１】
軸筒の側部に設けたクリップの内側に軸筒の側部に向かって突出した係止壁部を設け、クリップの対向した軸筒の側部に係止孔を設け、クリップの対向した軸筒内に、係止壁部に係止可能な係止突起を有した解除部と、摺動体を収容する複数の摺動溝を有したケース部とで構成した解除体を、ばねにより軸筒の前側方向に付勢し、係止突起を係止孔より外方に突出してクリップの係止壁部より軸筒の前方側に位置させて、軸筒に対して前後動可能に設け、一方の側部に操作部を有し、対向した他方の側部に軸心方向に並べて形成した第１係止突部と傾斜面を形成した第２係止突部を有し、ばねにより軸筒の後側方向に付勢した摺動体を、操作部を軸筒の側部に形成した軸心方向に延びたスライド孔より外方に突出して、解除体の各々の摺動溝に摺動可能に収容し、各摺動体に筆記体を着脱自在に連接し、操作部を軸筒の前側方向にスライドして摺動体を解除体に対して前進させ、摺動体の後端部がケース部の前端部に係止するとともに、解除体を後方に押圧し、解除体の係止突起がクリップの係止壁部に当接して、筆記体の筆記先端部が軸筒の先端開口部から突出した状態を維持し、他の操作部を軸筒の前側方向にスライドして他の摺動体を前進させることで、またはクリップ先端が持ち上がり解除体の係止突起が係止壁部との係止が解除され解除体が後退して摺動体が後退することで、摺動体の第１係止突部が他の摺動体の第２係止突部の傾斜面と当接して摺動体の後端部のケース部の前端部への係止が解除され、摺動体が摺動溝の元の位置に復帰し、筆記体の筆記先端部が軸筒の先端開口部に没入することを特徴とするスライド式の多芯筆記具。
【発明の詳細な説明】
【技術分野】
【０００１】
本発明は、筆記体の筆記先端部を軸筒の先端開口部より突出した状態で衣類のポケット等へ挿着しようとした際に、自動的に筆記先端部が軸筒の先端開口部に没入する安全機構が付いたスライド式の多芯筆記具に関する。
【背景技術】
【０００２】
従来から、軸筒内に、ばねにより軸筒の後側方向に付勢し、軸筒の側部に形成した軸心方向に延びたスライド孔より外方に突出した操作部を有した複数の摺動体を軸筒に対して前後に摺動可能に収容し、各摺動体に筆記体を着脱自在に連接し、操作部を軸筒の前側方向にスライドして摺動体を前進させることで、筆記体の筆記先端部を軸筒の先端開口部から突出してその状態を維持し、他の操作部を軸筒の前側方向にスライドして他の摺動体を前進することで、前記筆記体の筆記先端部を軸筒の先端開口部に没入するスライド式の多芯筆記具については良く知られている。
【０００３】
前記スライド式の多芯筆記具においては、軸筒内に収容した筆記体の筆記先端部が軸筒の先端開口部より突出した状態で衣類のポケット等へ挿着してしまい、布地を汚してしまうことがままあり、筆記体の筆記先端部を軸筒の先端開口部より突出した状態で、衣類のポケット等へ挿着しようとした際に、自動的に筆記先端部が軸筒の先端開口部に没入する安全機構が付いたものが提案されている。
【０００４】
先の技術として、クリップの内側に軸筒内に没入する係止突起を設け、軸筒内に常時上方へのバネ圧を付与される解除レバ−と複数の芯取付用ノックを配置し、解除レバ−の上部とノックの上部に上下方向において交錯関係を持つようにしてそれぞれ内方突部を設けると共に、解除レバ−の下部に設けた従動突部とノックの下部に設けた作用突部を上下方向において交錯関係を持つようになし、解除レバ−に、その下降端においてクリップの係止突起が嵌合する係止孔を形成した構造が、特許第４２０１２９２号公報により開示されている。
【０００５】
前記構造では、筆記体の筆記先端部を軸筒の先端開口部より突出させる際は、ノック（摺動体）７と解除レバー１５を押し下げることになるが、ノック（摺動体）７の復帰スプリング９のばね圧による上方への付与だけでなく、解除レバー１５も復帰スプリング１８のばね圧で上方へ付与されているので、従来のスライド式の多芯筆記具と比べて操作が重くなるという問題がある。また、筆記体の筆記先端部を軸筒の先端開口部より突出した状態から没入させる際は、復帰スプリング９によりノック７と復帰スプリング１８により解除レバ−１５が同時に押し上げられるので、ノック７と解除レバ−１５の軸筒１への衝接音が大きくなるという問題がある。
【先行技術文献】
【特許文献】
【０００６】
【特許文献１】特許第４２０１２９２号公報
【発明の概要】
【発明が解決しようとする課題】
【０００７】
本発明は前記事実に鑑みてなされたもので、軸筒内に、ばねにより軸筒の後側方向に付勢し、軸筒の側部に形成した軸心方向に延びたスライド孔より外方に突出した操作部を有した複数の摺動体を軸筒に対して前後に摺動可能に収容し、各摺動体に筆記体を着脱自在に連接し、操作部を軸筒の前側方向にスライドして摺動体を前進させることで、筆記体の筆記先端部を軸筒の先端開口部から突出してその状態を維持し、他の操作部を軸筒の前側方向にスライドして他の摺動体を前進することで、前記筆記体の筆記先端部を軸筒の先端開口部に没入するスライド式の多芯筆記具において、筆記体の筆記先端部を軸筒の先端開口部より突出した状態で衣類のポケット等へ挿着しようとした際にクリップ先端が持ち上がることで、自動的に筆記先端部が軸筒の先端開口部に没入する安全機構を、操作部の前方へのへスライド操作が従来の安全機構を有さないものに比べて重くならず、かつ筆記体の筆記先端部が軸筒の先端開口部が没入する際に生じる、部材間が衝接することによる衝接音を従来の安全機構を有さないものに比べて遜色がないように設けることにある。
【課題を解決するための手段】
【０００８】
本発明は、
「軸筒の側部に設けたクリップの内側に軸筒の側部に向かって突出した係止壁部を設け、クリップの対向した軸筒の側部に係止孔を設け、クリップの対向した軸筒内に、係止壁部に係止可能な係止突起を有した解除部と、摺動体を収容する複数の摺動溝を有したケース部とで構成した解除体を、ばねにより軸筒の前側方向に付勢し、係止突起を係止孔より外方に突出してクリップの係止壁部より軸筒の前方側に位置させて、軸筒に対して前後動可能に設け、一方の側部に操作部を有し、対向した他方の側部に軸心方向に並べて形成した第１係止突部と傾斜面を形成した第２係止突部を有し、ばねにより軸筒の後側方向に付勢した摺動体を、操作部を軸筒の側部に形成した軸心方向に延びたスライド孔より外方に突出して、解除体の各々の摺動溝に摺動可能に収容し、各摺動体に筆記体を着脱自在に連接し、操作部を軸筒の前側方向にスライドして摺動体を解除体に対して前進させ、摺動体の後端部がケース部の前端部に係止するとともに、解除体を後方に押圧し、解除体の係止突起がクリップの係止壁部に当接して、筆記体の筆記先端部が軸筒の先端開口部から突出した状態を維持し、他の操作部を軸筒の前側方向にスライドして他の摺動体を前進させることで、またはクリップ先端が持ち上がり解除体の係止突起が係止壁部との係止が解除され解除体が後退して摺動体が後退することで、摺動体の第１係止突部が他の摺動体の第２係止突部の傾斜面と当接して摺動体の後端部のケース部の前端部への係止が解除され、摺動体が摺動溝の元の位置に復帰し、筆記体の筆記先端部が軸筒の先端開口部に没入することを特徴とするスライド式の多芯筆記具。」
である。
【０００９】
本発明において前記クリップの内側に設ける係止壁部は、クリップの先端部の内側に設けた、いわゆる玉部と言われている軸筒の側部に向かって突出した突部に形成しても良いし、クリップの内側に係止壁部を設けても良い。
【００１０】
前記クリップの内側に形成した係止壁部は、一部をクリップの対向した軸筒の側部に形成した係止孔に挿入するように設けて、係止壁部と軸筒内に設けた解除体の解除部の係止突起とが係止するようにしても良いし、あるいは係止壁部の先端が軸筒の側部の表面より離間して位置するように設け、係止突起を係止孔より外方に突出させて係止壁部と係止突起とが当接するように設けても良い。
【００１１】
本発明において筆記体とは、インキ収容筒内に油性、水性またはゲル状の筆記用インキを収容してなるボールペン体や、芯タンク内に鉛芯を収容してなるシャープペンシル体等のことである。
【発明の効果】
【００１２】
本発明は前記したような構造なので、構造が複雑とならずかつ組立ても煩雑とならなずに、筆記先端部を軸筒の先端開口部より突出した状態で衣類のポケット等へ挿着しようとした際には、自動的に筆記先端部が軸筒の先端開口部に没入する安全機構を付加したスライド式の多芯筆記具を得ることができた。
【００１３】
また、解除部をばねにより軸筒の後側方向に付勢していないので、筆記体の筆記先端部を軸筒の先端開口部より突出するための操作部の軸筒の前側方向へのスライド操作が、従来のスライド式の多芯筆記具における摺動体の操作より重くなることがなく、また、筆記体の筆記先端部が軸筒の先端開口部から突出した状態から没入する際は、従来のスライド式の多芯筆記具の構造と同様に、解除体も若干後退するがばねによる軸筒の後側方向への付勢はされていないので、摺動体のみがばねにより軸筒の後側方向に付勢されているので、部材同士の衝接による衝接音は従来の安全機構を有さないものと同様の大きさですむ。
【図面の簡単な説明】
【００１４】
【図１】本発明のスライド式の多芯筆記具の実施例を示す、スライド式の多芯筆記具の要部の縦断面図である。
【図２】図１におけるＡ−Ａ線部分の拡大端面図である。
【図３】図１におけるＢ−Ｂ線部分の拡大端面図である。
【図４】図１におけるＣ−Ｃ線部分の拡大端面図である。
【図５】図２におけるＤ−Ｅ線部分を切断して平面に展開した状態を示した、スライド式の多芯筆記具の要部の縦断面図である。
【図６】図１における解除体の拡大斜視図である。
【図７】図６における解除体を下側から見た状態を示す、解除体の拡大斜視図である。
【図８】図１において、摺動体を筆記体側の前方にスライドして、筆記体の筆記先端部を軸筒の先端開口部から突出して維持した状態を示す、スライド式の多芯筆記具の要部の縦断面図である。
【図９】図５において、一方の摺動体を前進させた状態を示した、スライド式の多芯筆記具の要部の縦断面図である。
【図１０】図８において、クリップの先端を持ち上げた状態を示す、スライド式の多芯筆記具の要部の縦断面図である。
【発明を実施するための形態】
【００１５】
本発明は、軸筒内に、ばねにより軸筒の後側方向に付勢し、軸筒の側部に形成した軸心方向に延びたスライド孔より外方に突出した操作部を有した複数の摺動体を軸筒に対して前後に摺動可能に収容し、各摺動体に筆記体を着脱自在に連接し、操作部を軸筒の前側方向にスライドして摺動体を前進させることで、筆記体の筆記先端部を軸筒の先端開口部から突出してその状態を維持し、他の操作部を軸筒の前側方向にスライドして他の摺動体を前進することで、前記筆記体の筆記先端部を軸筒の先端開口部に没入するスライド式の多芯筆記具において、筆記体の筆記先端部が軸筒の先端開口部より突出した状態で衣類のポケット等へ挿着した際に、クリップ先端が軸筒の側部から離間して持ち上がると、自動的に筆記先端部が軸筒の先端開口部に没入する安全機構を設ける。
【実施例】
【００１６】
本発明のスライド式の多芯筆記具の実施例を、図を用いて説明する。
本実施例のスライド式の多芯筆記具１は、図示していないが、軸筒を前軸と後軸を螺着により着脱自在に連結可能とした構成としてあり、便宜上、軸筒内にはインキ色の異なるボールペン体を３本収納した構造として説明するが、ボールペン体を２本、シャープペンシル体を１本収容した構造でも良いし、ボールペン体を２本収納した構造でも良く、ボールペン体やシャープペンシル体の数は、本実施例により限定されるものではない。
【００１７】
説明するにあたり、要部であるスライド式の多芯筆記具１の後軸（軸筒）２の部分を用いて説明する。本実施例のスライド式の多芯筆記具１は、図１に示すように、後軸２の側部２ａにクリップ３を、後軸２に一体に形成した主柱４に回転軸部５を設けて、クリップ３の後端部の両側壁３ａに設けた回転軸受け凹部６に係合して、クリップ先端部３ｂが後軸２の側部２ａに対して離間／当接するように回動可能に付設してある。また、後軸２の側部２ａにクリップ３側に向かって延びる突起部７を、クリップ３の内壁に後軸２の側部２ａ側に向かって延びる突起部８を設け、両端を前記突起部７、８に嵌合してコイルスプリング９を配設して、クリップ先端部３ｂが後軸２の側部２ａ側に付勢するようにしてある。
【００１８】
クリップ先端部３ｂの内側には、従来のクリップに見られるように、衣類のポケット等へ挿着した際にポケットの布地等を軸筒と挟持するための後軸２の側部２ａに向かって突出したいわゆる玉部と言われている突部１０が平行に２列並べて設けてあり、玉部１０の間に後軸２の側部２ａに向かって突出した係止壁部１１を設けてある。
【００１９】
後軸２の内部には、従来のスライド式の多芯筆記具と同様に、軸筒内に収容したボールペン体１２の周方向へ移動しないように保持するためのスリーブ１３を後軸２に固定して設けてある。後軸２の先端部２ｂには、前軸（図示せず）に形成した雄ねじ部にねじ嵌合する雌ねじ部１４を設けてあり、前軸と着脱自在に連結可能としてある。また、後軸２の側部２ａには、クリップ３が取付けられた後軸２の側部２ａと反対側の側部２ａと、その側部の周方向において両側に９０度ずれた位置の側部に軸心方向に延びたスライド孔１５を形成してある。
【００２０】
従来のスライド式の多芯筆記具と同様に、側部より突出した操作部１６と、該操作部１６と反対側の側部より突出した第１係止突部１７と、該第１係止突部１７より前方（図において左側方向）の位置の側部より突出した第２係止部１８とを設けた摺動体１９を、操作部１６の一部をスライド孔１５より突出させ、コイルスプリング２０により後軸２の後側方向（図において右側方向）に付勢し、各々のスライド孔１５に対し前後に摺動可能に後軸２内に収容してある。各摺動体１９には、インキ色の異なるボールペン体１２ａ、１２ｂ、１２ｃを着脱自在に連接してあり、ボールペン体１２ａ、１２ｂ、１２ｃを前記スリーブ１３に設けた各々の挿通孔２１に挿通して、ボールペン体１２を軸筒内（後軸２内）に、クリップ３が取付けられた後軸２の側部２ａと反対側の側部２ａ側と、その側部の周方向において両側に９０度ずれた位置の側部側に位置させて収容してある（図２を参照）。
【００２１】
また、後軸２内には、図６および図７に示すような、前記のクリップ３の係止壁部１１に係止可能な係止突起２２を有した解除部２３と、前記摺動体１９を収容するスライド孔１５に対応して設けた前後に貫通した摺動溝２４を有した摺動ケース部２５とで構成した解除体２６を、係止突起２２をクリップ３の対向した後軸２の側部２ａに設けた係止孔２７より外方に突出させて配設してある。符号２８は、後軸２の内壁面に当接して解除体２６が後軸２内でがたつかないようにするための固定脚部である。前記係止孔２７は、後軸２の側部２ａを凹部状に切り欠いて、その側部に設けてある（図２を参照）。
【００２２】
解除体２６は、閉塞した後軸２の後端内壁面２ｃに解除体２６に向かって突出したばね固定部２９と、解除体２６の後端に前記ばね固定部２９に向かって突出したばね固定部３０に両端を嵌合して張架したコイルスプリング３１により後軸２の前側方向に付勢して、かつ前記係止突起２２をクリップ３の係止壁部１１より前方（図１において左側方向）に位置するように、かつ後軸２内を後方に移動可能に配設してある。解除部２３の前端部２３ａは、前記スリーブ１３に設けた保持孔３２に挿入し、周方向に回動しないようにしてある。
【００２３】
解除体２６のケース部２５の各摺動溝２４には、各摺動体１９を前後に摺動可能に収容し（図３を参照）、後軸２の後端部２ｄに形成したストッパー用突部３３を各摺動溝２４の後端部内に挿入し（図４を参照）、各摺動体１９の後端部には当接突部３４を設けてストッパー用突部３３に当接させて、摺動体１９が摺動溝２４に対して後方へ移動できないようにしてある。
【００２４】
この時の摺動体１９の他の摺動体の係わり状態は、図２においてＤ−Ｅ線部分を切断して平面に展開した状態を示す図５に示すように、従来のスライド式の多芯筆記具と場合と同様である。
【００２５】
動作について説明すると、従来のスライド式の多芯筆記具と同様に、使用したい色のボールペン体１２の筆記先端部を軸筒の開口先端部より突出させるために、図８に示すように、例えばボールペン体１２ａの操作部１６ａを後軸２の先端部２ｂ方向にスライド孔１５および摺動溝２４に沿って摺動体１９ａを前進させると、摺動体１９ａは摺動溝２４から離脱するとともに内側に移動して、摺動体１９ａの後端面３５が解除体２６のケース部２５の前端面３６と係止する。摺動体１９ａはコイルスプリング２０により後方に付勢されているので、ケース部２５を介して解除体２６は後退し、係止突起２２がクリップ３の係止壁部１１に衝接し、解除体２６、摺動体１９ａの後退は阻止され、図示していないがボールペン体１２ａの筆記先端部は軸筒の先端開口部より突出した状態で維持される。
【００２６】
この時の摺動体１９ａの他の摺動体１９ｂの係わり状態は、図９に示すように、摺動体１９ａの第１係止突部１７は他の摺動体１９ｂの第２係止突部１８の前方に位置する。
【００２７】
筆記体の筆記先端部が軸筒の先端開口部より突出した状態で衣類のポケット等へ挿着しようとしてクリップ先端３ｂが持ち上がると、図１０に示すように、解除体２６の係止突起２２がクリップ３の係止壁部１１との係止が解除され、解除体２６および摺動体１９ａは後退可能となり、図９に示すように、他の摺動体１９ｂは後軸２の後端部２ｄに形成したストッパー用突部３３が各摺動体１９の後端部に形成した当接突部３４が当接しているので後退せず、摺動体１９ａの第１係止突部１７が他の摺動体１９ｂの第２係止突部１８の傾斜面３７に当接して外側方向に押圧され、摺動体１９ａの後端面３５と解除体２６のケース部２５の前端面３６との係止が解除され、摺動体１９ａは元の位置に復帰し、ボールペン体１２ａの筆記先端部は軸筒の開口先端部に没入する。
【００２８】
従来のスライド式の多芯筆記具と同様に、他の摺動体１９ｂを軸筒の先端開口部方向にスライドして前進させても、他の摺動体の第２係止突部１８の傾斜面３７が摺動体１９ａの第１係止突部１７に当接し、摺動体１９ａは外側方向に押圧され、摺動体１９ａの後端面３５と解除体２６のケース部２５の前端面３６との係止が解除され、摺動体１９ａは元の位置に復帰し、ボールペン体１２ａの筆記先端部は軸筒の開口先端部に没入する。
【産業上の利用可能性】
【００２９】
本発明は、軸筒内に収容した複数の筆記体を、軸筒の側部に形成したスライド孔より突出した操作部をスライドして前進させることで筆記体の筆記先端部を軸筒の先端開口部から突出した状態に維持し、他の操作部を軸筒の先端開口部方向にスライドして他の摺動体を前進することで前記筆記体の筆記先端部を軸筒の先端開口部に没入するスライド式の多芯筆記具において、筆記体の筆記先端部が軸筒の先端開口部より突出した状態で衣類のポケット等へ挿着した際に、自動的に筆記先端部が軸筒の先端開口部に没入するようにしたい場合に用いることができ、筆記体に代えてねじ回し等を軸筒内に収容したの工具類等にも適用できる。
【符号の説明】
【００３０】
１  スライド式の多芯筆記具
２  後軸、２ａ  側部
３  クリップ
１１  係止壁部
１２  ボールペン体（筆記体）
１５  スライド孔
１６  操作部
１７  第１係止突部
１８  第２係止突部
１９  摺動体
２０  コイルスプリング
２２  係止突起
２３  解除部
２４  摺動溝
２５  ケース部
２６  解除体
２７  係止孔
３１  コイルスプリング
３５  後端面
３６  前端面
３７  傾斜面
【図１】
0005705571.tif 000002
【図２】
0005705571.tif 000003
【図３】
0005705571.tif 000004
【図４】
0005705571.tif 000005
【図５】
0005705571.tif 000006
【図６】
0005705571.tif 000007
【図７】
0005705571.tif 000008
【図８】
0005705571.tif 000009
【図９】
0005705571.tif 000010
【図１０】
0005705571.tif 000011